(57)【要約】本発明は、イメージ切替が可能な履物に関し、より詳細には、履物の前方に照射されるイメージを切替させることにより、興味を誘発することができるだけでなく、歩行を自然に誘導することができる、イメージ切替が可能な履物に関する。このような本発明は、履物と、履物に着脱可能に設置され、地面に向かってイメージを照射するイメージ発散体とを含んでなり、イメージ発散体は、光を発散する光源と、光源の前方に設置され、照射されるイメージを形成するイメージセルと、イメージセルに制御信号を伝達し、照射されるイメージを切替させるイメージ切替手段とを含むことを特徴とする、イメージ切替が可能な履物を技術的要旨とする。
2020504631.tif 000002
【特許請求の範囲】
【請求項１】
履物と、前記履物に着脱可能に設置され、地面に向かってイメージを照射するイメージ発散体とを含んでなり、
前記イメージ発散体は、
光を発散する光源と、
前記光源の前方に設置され、照射されるイメージを形成するイメージセルと、
前記イメージセルに制御信号を伝達し、照射されるイメージを切替させるイメージ切替手段とを含むことを特徴とする、イメージ切替が可能な履物。
【請求項２】
前記イメージ発散体は、
電気的エネルギーを供給するバッテリーと、
前記イメージセルの前方に隔設され、前記イメージセルに形成されたイメージが地面に向かって投影されるようにするレンズアセンブリとをさらに含むことを特徴とする、請求項１に記載のイメージ切替が可能な履物。
【請求項３】
前記レンズアセンブリは凹レンズ、凸レンズ及び平面レンズのうち少なくとも一つからなることを特徴とする、請求項２に記載のイメージ切替が可能な履物。
【請求項４】
前記イメージ切替手段は、
多数のイメージが格納されるメモリ部と、
既にプログラミングされ、前記メモリ部に格納されたイメージをロードして前記イメージセルへ伝達されるように制御する制御部とを含むことを特徴とする、請求項１に記載のイメージ切替が可能な履物。
【請求項５】
前記イメージ切替手段は、
イメージ切替情報の伝達のために、前記制御部と端末とを接続する無線通信手段をさらに含むことを特徴とする、請求項４に記載のイメージ切替が可能な履物。
【請求項６】
前記無線通信手段は無線ＬＡＮ（ＷＬＡＮ）、ワイファイ（Ｗｉ−Ｆｉ）及びブルートゥース（Ｂｌｕｅｔｏｏｔｈ）のいずれかであることを特徴とする、請求項５に記載のイメージ切替が可能な履物。
【請求項７】
前記イメージ切替手段は、
前記制御部に接続され、前記メモリ部に格納されたイメージを手動で切替させる切替スイッチをさらに含むことを特徴とする、請求項４に記載のイメージ切替が可能な履物。
【発明の詳細な説明】
【技術分野】
【０００１】
本発明は、イメージ切替が可能な履物に関し、より詳細には、履物の前方に照射されるイメージを可変させることにより、興味を誘発することができるだけでなく、歩行を自然に誘導することができる、イメージ切替が可能な履物に関する。
【背景技術】
【０００２】
最近、急速に変化する生活様式、交通手段の変化、西欧化された食生活が、特に私教育に多くの時間を費やす児童の活動に大きな変化をもたらすことにより、１１．６％に過ぎなかった児童肥満の割合が１５．０％へと急激に増加した。
【０００３】
これは、暇な時間に屋外運動よりは、室内でスマートフォン、コンピュータゲームなどを楽しむ活動習慣の問題点からその原因を見つけることができる。
【０００４】
このような問題点に着目して、聴覚よりも視覚に敏感であって、視覚的に満足を得るときに興味を感じる児童の歩行を誘導するための履物は継続的に開発されている。
【０００５】
一例として、キャラクターの描かれたステッカーまたは夜光ステッカーを履物に取り付けるか、或いは履物に発光体を用いて光を発散させることにより、室内のみで時間を過ごす児童に対して屋外での歩行を誘導して運動効果を得るようにした事例がある。
【０００６】
別の例として、「ビームを用いた歩行誘導用履物（韓国特許登録番号：韓国特許１０−１７５１５３６）」では、甲革の前方に開放された空間を開閉可能に覆うカバーの一側内部に設けられ、履物の前方に向かって映像を照射するビーム照射部と、カバーの前方に穿設された孔に設置されるレンズと、レンズとビーム照射部との間に設置され、映像がレンズの外側に表示されるようにビーム照射部から照射された映像を履物の前方に反射するビーム反射部とからなる履物を提示した事例もある。
【０００７】
しかし、「ビームを用いた歩行誘導用履物」の場合、履物の前方に向かって単一の映像のみを照射する構造に過ぎないため興味を誘発するには足りないので、興味を誘発することができるだけでなく、歩行を自然に誘導することもできる新しい履物の技術開発研究が切実に求められている。
【発明の概要】
【発明が解決しようとする課題】
【０００８】
本発明は、前述した問題点を解消するためになされたもので、その目的は、履物の前方に照射されるイメージを切替させることにより、興味を誘発することができるだけでなく、歩行を自然に誘導することができる、イメージ切替が可能な履物を提供することにある。
【課題を解決するための手段】
【０００９】
上記目的を達成するための本発明は、履物と、前記履物に着脱可能に設置され、地面に向かってイメージを照射するイメージ発散体とを含んでなり、前記イメージ発散体は、光を発散する光源と、前記光源の前方に設置され、照射されるイメージを形成するイメージセルと、前記イメージセルに制御信号を伝達し、照射されるイメージを切替させるイメージ切替手段とを含むことを特徴とする、イメージ切替が可能な履物を技術的要旨とする。
【００１０】
好ましくは、前記イメージ発散体は、電気的エネルギーを供給するバッテリーと、前記イメージセルの前方に隔設され、前記イメージセルに形成されたイメージが地面に向かって投影されるようにするレンズアセンブリとをさらに含むことを特徴とする。
【００１１】
好ましくは、前記レンズアセンブリは、凹レンズ、凸レンズ及び平面レンズの少なくとも一つからなることを特徴とする。
【００１２】
好ましくは、前記イメージ切替手段は、多数のイメージが格納されるメモリ部と、既にプログラミングされ、前記メモリ部に格納されたイメージをロードして前記イメージセルへ伝達されるように制御する制御部を含むことを特徴とする。
【００１３】
好ましくは、前記イメージ切替手段は、イメージ切替情報の伝達のために前記制御部と端末とを接続する無線通信手段をさらに含むことを特徴とする。
【００１４】
好ましくは、前記無線通信手段は、無線ＬＡＮ（ＷＬＡＮ）、ワイファイ（Ｗｉ−Ｆｉ）及びブルートゥース（Ｂｌｕｅｔｏｏｔｈ）のいずれかであることを特徴とする。
【００１５】
好ましくは、前記イメージ切替手段は、前記制御部に接続され、前記メモリ部に格納されたイメージを手動で切替させる切替スイッチをさらに含むことを特徴とする。
【発明の効果】
【００１６】
上記課題の解決手段による本発明に係るイメージ切替が可能な履物は、無線または手動で、履物の前方の地面に照射されるイメージを多様に切替させることにより、興味を誘発することができるだけでなく、歩行を自然に誘導することもできるという効果がある。
【図面の簡単な説明】
【００１７】
【図１】本発明の好適な実施形態に係る結合図である。
【図２】本発明の好適な実施形態に係る無線を介したイメージ切替例示図である。
【図３】本発明の好適な実施形態に係るイメージ発散体の模式図である。
【図４】本発明の好適な実施形態に係る手動によるイメージ切替例示図である。
【図５】本発明の好適な実施形態に係るイメージ発散体の別の模式図である。
【発明を実施するための形態】
【００１８】
以下、本発明の好適な実施形態を添付図面を参照して詳細に説明する。
【００１９】
図１は本発明の好適な実施形態に係る結合図である。図１（ａ）は履物１００に着脱可能に設置されるカバー１３０の内部にイメージ発散体２００が挿入される様子を示し、図１（ｂ）はイメージ発散体２００の背面から見た様子を示す。
【００２０】
このような図１に示されているように、本発明の好適な実施形態に係る履物１００は、足の上部を覆う甲革１１０、足底が接する外底２０、甲革１１０の前方に着脱可能に設置されるキャラクター形状のカバー１３０とから構成されることが分かる。
【００２１】
ここで、カバー１３０は、内部にイメージ発散体２００が挿入できる空間を持つカバー本体１３１と、カバー本体１３１の底面にピン状に突設され、甲革１１０に対して着脱可能にする結合部材１３２とから構成できる。ただし、カバー１３０の形状は、上述したようにキャラクター形状に限定されるものではなく、多様に変更可能である。
【００２２】
図２は本発明の好適な実施形態に係る無線を介したイメージ切替例示図である。図２を参照すると、外部の別個のスマートフォンなどの端末Ｔが持つ情報の伝送を無線を介して受けてイメージ発散体２００がイメージを切替させて照射することを確認することができる。
【００２３】
図３は本発明の好適な実施形態に係るイメージ発散体２００の模式図である。図３を参照すると、イメージ発散体２００がバッテリー２１０、イメージ切替手段２２０、光源２３０、イメージセル２４０及びレンズアセンブリ２５０からなることを確認することができる。このような構成は以下でさらに詳細に説明する。
【００２４】
本発明のバッテリー２１０は電気的エネルギーを供給する構成である。
【００２５】
すなわち、バッテリー２１０は、イメージ切替手段２２０に電力エネルギーを供給するための補助的な手段であって、イメージ切替手段２２０の源泉的な動力になる。
【００２６】
このようなバッテリー２１０としては、電源が供給される乾電池や圧電素子などのいずれも使用可能であり、マンガン電池やアルカリ電池などのように１回使えば再び使えない１回限りの１次電池と、ニッケル−カドミウム（Ｎｉ−Ｃｄ）、ニッケル−水素（Ｎｉ−ＭＨ）、リチウム−イオン（Ｌｉ−Ｉｏｎ）電池のように充電すれば再び使える充電用の二次電池など、様々な種類を使用することができるが、前記バッテリー２１０だけでなく、バッテリー２１０の役割を果たすことができるものであればいずれを使用してもよい。
【００２７】
本発明のイメージ切替手段２２０は、イメージセル２４０に制御信号を伝達して、照射されるイメージを切替させる構成である。
【００２８】
言わば、イメージ切替手段２２０は、メモリ部２２１、制御部２２２及び無線通信手段２２３からなり、別個のスマートフォンのような端末Ｔから情報の伝送を受けてイメージ切替を可能にする作用を果たす。
【００２９】
これにより、別個の端末Ｔから無線通信手段２２３を介してイメージ切替情報をイメージセル２４０へ伝送することにより、歩行時に興味を誘発するだけでなく、歩行を効率よく誘導する効果がある。
【００３０】
第一に、メモリ部２２１は、多数のイメージが格納される構成である。すなわち、メモリ部２２１には、イメージセル２４０を介して地面に照射できる様々なイメージが格納されるようにする空間を持つ構成である。
【００３１】
いわば、メモリ部２２１には、制御部２２２の動作に必要な各種ソフトウェア及び情報が含まれ得る。特に、多数の様々なイメージが一枚のフレーム単位で生成されて格納されるようにする作用を果たす。
【００３２】
特に、イメージ切替手段２２０には、無線通信部（図示せず）がさらに構成できるが、無線通信部は、制御部２２２に接続され、端末Ｔに格納されたイメージを無線通信手段２２３を介してアップロードしてメモリ部２２１に格納することができる。
【００３３】
第二に、制御部２２２は、既にプログラミングされ、メモリ部２２１に格納されたイメージをロードしてイメージセル２４０へ伝達されるように制御する構成である。
【００３４】
すなわち、制御部２２２は、イメージ切替手段２２０の全般的な動作を制御する重要な役割を果たすもので、端末Ｔの無線通信手段２２３によって入力される信号に基づいて、メモリ部２２１に、既に格納されたイメージの中からいずれかを選択することができるように入力して制御する作用を果たす。
【００３５】
いわば、制御部２２２は、無線通信手段２２３を介して受信されたイメージ切替情報に基づいて、イメージセル２４０上にデータ化されたイメージを反映させて、光源２３０によって地面にイメージが投影されるようにする作用を果たすのである。
【００３６】
第三に、無線通信手段２２３は、イメージ切替情報を伝達するために制御部２２２と端末Ｔとを接続する構成である。
【００３７】
つまり、イメージ切替手段２２０にイメージ切替情報を伝達するために、制御部２２２と端末Ｔとを接続するための無線通信手段２２３が備えられるといえる。
【００３８】
ここで、無線通信手段２２３は、無線ＬＡＮ（ＷＬＡＮ）、ワイファイ（Ｗｉ−Ｆｉ）及びブルートゥース（Ｂｌｕｅｔｏｏｔｈ）のいずれかを選択的に使用することができる。
【００３９】
一方、前述したところによると、無線通信手段２２３の無線でイメージを切替させる内容に関するものであったが、このような無線でイメージを切替させるのとは異なり、手動でもイメージを切替させることができ、その内容は次のとおりである。
【００４０】
図４は本発明の好適な実施形態に係る手動によるイメージ切替例示図である。図４を参照すると、イメージ発散体２００に接続ケーブル２２４ａを介して接続された切替スイッチ２２４が外底１２０に設置されることを確認することができる。ただし、図４では切替スイッチ２２４を外底１２０に設置したものと図示したが、必ずしもこのような位置にのみ設置されるのではなく、様々な位置に設置可能であるのは自明である。
【００４１】
例えば、切替スイッチ２２４が、カバー１３０の外部に露出されるように、カバー１３０にイメージ発散体２００と接続された接続ケーブル２２４ａを介して設置されるか、或いは、甲革１１０の外部に露出されるように、甲革１１０にイメージ発散体２００と接続された接続ケーブル２２４ａを介して設置され得る。特に、イメージ発散体２００自体がスイッチの役割を果たすことができるように、イメージ発散体２００の一側に、オン（ｏｎ）／オフ（ｏｆｆ）機能を行うことが可能な切替スイッチ２２４が直接設置されてもよい。
【００４２】
このような図４から分かるように、図２及び図３に示された方式とは異なり、切替スイッチ２２４を用いて手動でもイメージを切替させることができる。
【００４３】
図５は本発明の好適な実施形態に係るイメージ発散体２００'の別の模式図である。図５を参照すると、図３に示されたイメージ発散体２００とは異なり、切替スイッチ２２４によって手動でも、地面に照射されるイメージを切替させることができることが分かる。
【００４４】
具体的に、切替スイッチ２２４は、制御部２２２に接続され、メモリ部２２１に格納されたイメージを手動で切替させるためのもので、履物着用の際に、無線通信手段２２３がなくても、メモリ部２２１に格納された多数のイメージを手動で切替させることができる。
【００４５】
本発明の光源２３０は、光を発散する構成である。
【００４６】
言わば、光源２３０は、光を発散するためのもので、地面に照射されるイメージを視覚的に表すための作用をする。
【００４７】
付加的な構成を付け加えると、光源２３０の一側に放熱板（図示せず）が形成できるが、このような放熱板は、光源２３０から発生する熱を吸収して排出されるようにすることが好ましい。
【００４８】
但し、光源２３０として発光ランプまたはＬＥＤが使用でき、必ずしもこれに限定されるものではなく、様々な光源２３０が使用可能である。
【００４９】
本発明のイメージセル２４０は、光源２３０の前方に設置され、照射されるイメージを形成する構成である。
【００５０】
すなわち、イメージセル２４０は、イメージを地面上に表示するためのフィルムまたはガラスのようなもので、光源２３０の前方に設置され、イメージ切替手段２２０からイメージ情報の伝送を受ける作用をする。
【００５１】
このようにイメージセル２４０上にイメージが反映された状態で光源２３０が発光して光を照射すると、入力されたイメージが地面に露出される。
【００５２】
本発明のレンズアセンブリ２５０は、イメージセル２４０の前方に隔設され、イメージセル２４０に形成されたイメージが地面に向かって投影されるようにする構成である。
【００５３】
レンズアセンブリ２５０は、光源２３０からイメージセル２４０のイメージを受け取り、分散するようにすることにより、イメージがレンズアセンブリ２５０を通過した光に投影されて地面の一定地点に露出されるようにする作用を果たす。
【００５４】
ここで、レンズアセンブリ２５０は、凹レンズ、凸レンズ及び平面レンズの少なくとも一つを多様に変更して構成でき、これにより、光源２３０を集光または拡散させてイメージの解像度を調節することもできる。
【００５５】
例えば、凸レンズと凹レンズとが相互対向するように配置できるが、このような場合、光源２３０が発散されるときに凸レンズと凹レンズによって光が屈折されてイメージの拡散がよりスムーズに行われ得る。
【００５６】
以上の説明は、本発明の技術思想を例示的に説明したものに過ぎず、本発明の属する技術分野における通常の知識を有する者であれば、本発明の本質的な特性から逸脱することなく様々な修正及び変形が可能であろう。
【００５７】
したがって、本発明に開示された実施形態は、本発明の技術思想を限定するためのものではなく、説明するためのものであり、本発明の技術思想の範囲を限定するものではない。
【００５８】
本発明の保護範囲は特許請求の範囲によって解釈されるべきであり、それと同等の範囲内にあるすべての技術思想は本発明の権利範囲に含まれると解釈されるべきである。
【図１】
2020504631.tif 000003
【図２】
2020504631.tif 000004
【図３】
2020504631.tif 000005
【図４】
2020504631.tif 000006
【図５】
2020504631.tif 000007
【国際調査報告】
2020504631.tif 000008
2020504631.tif 000009
2020504631.tif 000010
2020504631.tif 000011